(57)【要約】【課題】家具などに使用される棚受け用ダボのダボ支持体とダボ本体との一体化を図る。【解決手段】周面に抜け止め用段部１３が形成されたダボ支持体１とこのダボ支持体１内に組み込まれたダボ本体２とから成り、ダボ本体２は、その軸心方向の一定範囲内の出退移動と当該軸心の周りの回転可能にダボ支持体１に内嵌されると共に、先端に回転操作部５を備え、このダボ本体２とダボ支持体１との間に、ダボ本体２の正逆回転によりダボ支持体１に対しダボ本体２を出退移動させるネジ嵌合部８を形成した構成。【選択図】    図１
2004275238.tif 000002
【特許請求の範囲】
【請求項１】
周面に抜け止め用段部が形成されたダボ支持体とこのダボ支持体内に組み込まれたダボ本体とから成り、ダボ本体は、その軸心方向の一定範囲内の出退移動と当該軸心の周りの回転可能にダボ支持体に内嵌されると共に、先端に回転操作部を備え、このダボ本体とダボ支持体との間に、ダボ本体の正逆回転によりダボ支持体に対しダボ本体を出退移動させるネジ嵌合部を形成して成る、棚受け用ダボ。
【請求項２】
前記ネジ嵌合部は、ダボ本体の内端近傍周面から突設された突起部と、ダボ支持体のダボ本体収納孔の内周面に形成され且つ前記突起部が嵌合する両端閉止螺旋状溝とから構成されている、請求項１に記載の棚受け用ダボ。
【請求項３】
前記ネジ嵌合部の螺旋状溝の外端側には、外端閉止部から周方向一定角度範囲にわたる周方向直線部が形成されている、請求項２に記載の棚受け用ダボ。
【請求項４】
前記ダボ支持体は、直径方向に２分割され、その分割面の一方に突設された突起と他方に形成された孔との嵌合により一体化されている、請求項１〜３の何れかに記載の棚受け用ダボ。
【請求項５】
前記ダボ本体の回転操作部は、ダボ本体先端面に凹設されたドライバー用嵌合孔から構成されている、請求項１〜４の何れかに記載の棚受け用ダボ。
【発明の詳細な説明】
【０００１】
【発明の属する技術分野】
本発明は、家具などに使用される棚受け用ダボに関するものである。
【０００２】
【従来の技術】
家具などに使用される棚受け用ダボは、家具などの棚板支持用側板に設けられた下孔に打ち込んで固定するダボ支持体と、このダボ支持体のダボ支持孔に差し込むダボ本体とから構成されたもので、特許文献などで従来例を開示するまでもなく明らかなように、従来のこの種の棚受け用ダボは、ダボ支持体に対してダボ本体が抜き差し自在なものであったため、ダボ支持体は家具などの棚板支持用側板に予め取り付けられていても、ダボ本体は、実際に棚を取り付ける段階までは、袋に収納して家具などに付属させておく必要があり、手間とコストがかかっていた。勿論、予めダボ支持体にダボ本体を差し込んでおく方法も考えられるが、運搬中の振動などで不測に抜け落ちて紛失することになるので、実際には採用されていない。
【０００３】
【課題を解決するための手段】
本発明は上記のような従来の問題点を解消し得る棚受け用ダボを提供することを目的とするものであって、その手段を後述する実施形態の参照符号を付して示すと、周面に抜け止め用段部１３が形成されたダボ支持体１とこのダボ支持体１内に組み込まれたダボ本体２とから成り、ダボ本体２は、その軸心方向の一定範囲内の出退移動と当該軸心の周りの回転可能にダボ支持体１に内嵌されると共に、先端に回転操作部５を備え、このダボ本体２とダボ支持体１との間に、ダボ本体２の正逆回転によりダボ支持体１に対しダボ本体２を出退移動させるネジ嵌合部８を形成した構成となっている。
【０００４】
上記構成の本発明を実施する場合、前記ネジ嵌合部８は、ダボ本体２の内端近傍周面から突設された突起部３と、ダボ支持体１のダボ本体収納孔６の内周面に形成され且つ前記突起部３が嵌合する両端閉止螺旋状溝７とから構成することができる。この場合、前記螺旋状溝７の外端側には、外端閉止部７ａから周方向一定角度範囲にわたる周方向直線部７ｂを形成しておくのが望ましい。
【０００５】
又、前記ダボ支持体１は、直径方向に２分割して形成しておき、その分割面１０ａ，１０ｂの一方に突設された突起１１と他方に形成された孔１２との嵌合により一体化することができる。
【０００６】
更に、前記ダボ本体２の回転操作部５としては、ダボ本体先端面２ａに凹設されたドライバー用嵌合孔４が実用的である。
【０００７】
【発明の実施の形態】
以下に本発明の好適実施形態を添付図に基づいて説明すると、１は有底円筒状のダボ支持体であり、２はダボ支持体１内に組み込まれたダボ本体である。ダボ本体２は、図５に示すように、円柱体から成るもので、その外周面の内端には半球面形の突起部３が一体に突設され、外端側の先端面２ａには、プラスマイナス両ドライバー用嵌合孔４から成る回転操作部５が設けられている。
【０００８】
ダボ支持体１は、ダボ本体２がその軸心方向の出退移動と当該軸心の周りの回転可能に内嵌する直径で、深さがダボ本体２の全長と略等しい収納孔部６を有し、当該収納孔部６の内周面には、ダボ本体２の突起部３が嵌合する螺旋状溝７が形成され、当該螺旋状溝７とダボ本体２側の突起部３とで、ダボ本体２の正逆回転で当該ダボ本体２をダボ支持体１の収納孔部６に対し出退移動させるためのネジ嵌合部８が構成されている。
【０００９】
前記ネジ嵌合部８の螺旋状溝７は、ダボ本体２がダボ支持体１の収納孔部６から抜け出ないようにその両端が閉止されたものであるが、当該螺旋状溝７の外端側には、図４に示すように、外端閉止部７ａから周方向一定角度範囲にわたる周方向直線部７ｂが形成されている。
【００１０】
ダボ支持体１は、図３及び図４に示すように、直径方向に２分割されて成形され、その分割面、即ち、両分割部材９ａ，９ｂの互いに当接する当接面１０ａ，１０ｂのうち、一方の当接面１０ａには複数個の突起１１が突設され、他方の当接面１０ｂには、前記突起１１を圧入可能な孔１２が形成され、両分割部材９ａ，９ｂでダボ本体２を挟み込むようにしながら各突起１１を孔１２に圧入することにより、当該突起１１と孔１２との間の摩擦で両分割部材９ａ，９ｂを一体化している。勿論、このとき突起１１と孔１２との間や当接面１０ａ，１０ｂ間に接着剤を介在させることもできるし、ダボ支持体１を後述のように使用するまでは、両分割部材９ａ，９ｂとダボ本体２の３部品にばらしておいても良い。
【００１１】
尚、ダボ支持体１の外周面には、断面が鋸刃形で周方向にそれぞれ連続する軸心方向複数の抜け止め用段部１３が形成されている。又、ダボ支持体１のの底部を構成する各分割部材９ａ，９ｂの半円形底板部１４ａ，１４ｂには、両分割部材９ａ，９ｂを互いに組み合わせたときに互いに嵌合する半円形凸部１５ａ，１５ｂと半円形凹部１６ａ，１６ｂとが形成され、両分割部材９ａ，９ｂを互いに組み合わせるとき、両分割部材９ａ，９ｂの互いの位置決めが容易になるように構成している。
【００１２】
上記構成の棚受け用ダボは、図２に示すように、棚板支持用側板１７に設けられた下孔１８（直径は、抜け止め用段部１３の谷部の外径と略等しい）に、ダボ本体２を上記のように組み込んだダボ支持体１をその底部側から打ち込んで、ダボ支持体１の環状の外端面と棚板支持用側板１７の表面とが略面一になる状態に取り付けられる。この取り付け作業時には、図１Ｂに示すように、前以ってダボ本体２をネジ嵌合部８の螺進方向に回転操作して、その全体をダボ支持体１の収納孔部６内に収納させておくことにより、打ち込み作業がダボ本体２を損傷させることなく容易に行える。ダボ支持体１の取り付け位置は、従来のこの種の棚受け用ダボと同じである。このように棚板支持用側板１７に取り付けられたダボ支持体１は、外周面の抜け止め用段部１３が下孔１８の内周面に食い込み、抜け出る恐れはない。
【００１３】
実際に棚板を支持させるときは、図１Ｂに示すようにダボ支持体１の収納孔部６内に収納されているダボ本体２を逆方向に回転操作し、ネジ嵌合部８の作用で当該ダボ本体２を、螺旋状溝７の外端閉止部７ａに突起部３が当接する進出限位置まで進出させ、ダボ支持体１から突出するダボ本体２上に棚板を支持させれば良い。この使用状態において、ダボ本体２が多少螺進方向に回転しても、突起部３が螺旋状溝７の周方向直線部７ｂ内にある限り、ダボ本体２がダボ支持体１内に退入して、ダボ支持体１からの突出量が小さくなることはない。
【００１４】
【発明の効果】
本発明は以上のように実施し且つ使用することが出来るものであって、係る本発明の棚受け用ダボによれば、少なくとも棚板支持用側板などにダボ支持体が取り付けられた状態では、当該ダボ支持体にダボ本体が抜き出し不能に組み込まれた状態であるから、従来のようにダボ本体のみを別に包装して付属させる手間とコストが不要になるばかりでなく、ダボ本体を紛失してしまう恐れもなくなる。しかも実際にダボ本体で棚板を支持させるまでは、ダボ本体をダボ支持体内に退入させて、ダボ支持体から突出しない状態か又は突出量の小さな状態にしておけるので、他物との接触などでダボ本体が破損する恐れがない。又、実際にダボ本体で棚板を支持させるときは、単にダボ本体の先端の回転操作部を利用してダボ本体をダボ支持体に対する進出方向に回転操作するだけで簡単容易にダボ本体をダボ支持体から突出する使用状態に切り換えることができる。
【００１５】
尚、請求項２に記載の構成によれば、ネジ嵌合部の螺旋状溝をダボ本体外周面に形成する場合よりも、小径のダボ本体の強度低下を防ぐことができると共に、螺旋状溝とは別にダボ本体の抜け止めを設けなければならない場合よりも、構成が簡単になり、安価に実施できる。この場合、請求項３に記載の構成によれば、使用状態においてダボ本体が多少回転しても、突起部が螺旋状溝の周方向直線部内にある限り、ダボ本体がダボ支持体内に退入して、ダボ支持体からの突出量が小さくなることはなく、従って、安全性が高められる。
【００１６】
又、請求項４に記載の構成によれば、ダボ支持体内の螺旋状溝などのネジ嵌合部の成形が容易になると共にダボ本体の組み付けも容易に行える。しかも両分割部材を突起と孔との嵌合で正確に位置決めすることができるので、棚板支持用側板などに設けた下孔に容易に打ち込み固定することができる。勿論、両分割部材を突起と孔とが嵌合した状態で分割不能に一体化することにより、取り扱いは一層容易になる。
【００１７】
更に、請求項５に記載の構成によれば、ダボ本体の先端から突出する角軸部などを回転操作部とする場合と比較して、ダボ支持体内にダボ本体の全体を収納させることができるように構成する場合でも、ダボ支持体の全長を短くすることができる。又、他物との接触などで回転操作部が破損することもない。
【図面の簡単な説明】
【図１】Ａ図はダボ支持体からダボ本体を突出させた状態で、ダボ支持体の手前側分割部材を切除した状態での側面図であり、Ｂ図はダボ支持体内にダボ本体を収納させた状態で、ダボ支持体の手前側分割部材を切除した状態での側面図である。
【図２】使用状態を示す一部縦断側面図である。
【図３】正面図である。
【図４】Ａ図はダボ支持体の一方の分割部材を示す内側からの側面図と正面図であり、Ｂ図はダボ支持体の他方の分割部材を示す内側からの側面図と正面図である。
【図５】ダボ本体を示す縦断側面図と正面図である。
【符号の説明】
１    有底円筒状のダボ支持体
２    ダボ本体
３    突起部（ネジ嵌合部）
４    ドライバー用嵌合孔（回転操作部）
５    回転操作部
６    収納孔部
７    螺旋状溝
７ａ    螺旋状溝の外端閉止部
７ｂ    螺旋状溝の周方向直線部
８    ネジ嵌合部
９ａ，９ｂ    ダボ支持体を構成する分割部材
１０ａ，１０ｂ    分割部材の当接面（分割面）
１１    突起
１２    孔
１３    抜け止め用段部
１７    棚板支持用側板
１８    ダボ支持体取付用下孔
【図１】
2004275238.tif 000003
【図２】
2004275238.tif 000004
【図３】
2004275238.tif 000005
【図４】
2004275238.tif 000006
【図５】
2004275238.tif 000007